(57)【特許請求の範囲】
【請求項１】
本体の外面に開口された吸気口と吹出口とを連通する風路と、
前記風路の途中に配置され空気を送風する送風機と、
前記風路の前記送風機の下流に配置され空気を加熱するヒータと、
前記風路の前記ヒータの下流に配置され前記ヒータで加熱された空気を加湿する加湿フィルタと、
前記加湿フィルタに給水する加湿トレーと、
前記風路の一部を形成し、前記加湿フィルタを前記加湿トレーの所定位置に固定するフィルタトレーと、
前記加湿トレーに給水する水を貯水する給水タンクと、を含み、
前記ヒータと前記加湿フィルタとの間の前記風路に、前記風路と前記本体の内部とを連通する通気口を備え、
前記風路から前記通気口を介して前記本体の内部に低湿度の温風を供給する、
加湿機。
【請求項２】
前記通気口は前記フィルタトレーの側壁に配置された、
請求項１に記載の加湿機。
【請求項３】
前記本体は立面に開口を備え、
前記加湿フィルタと前記フィルタトレーと前記加湿トレーとは合体させた状態で前記開口を介して前記本体に着脱可能な構成の、
請求項１または２に記載の加湿機。
【請求項４】
請求項１〜３のいずれか１項に記載の加湿器と、
前記風路の前記ヒータの下流で分岐し、前記加湿フィルタに連通させる加湿風路と、
前記風路の前記ヒータの下流で分岐し、前記加湿フィルタを通過させずに前記吹出口に直接連通する温風風路と、
前記加湿風路および前記温風風路のいずれか一方または両方に温風を選択的に送風するダンパと、
前記ダンパの操作を行う操作手段と、を備え、
前記操作手段で前記ダンパの操作することにより、温風と加湿温風の吹き出しが選択可能な、
加湿温風機。
【発明の詳細な説明】
【技術分野】
【０００１】
本発明は、吸水した加湿フィルタに空気を送給して気化させる気化式の加湿機に関するものである。
【背景技術】
【０００２】
従来、この種の加湿機においては、室温が低い場合や急激に室温が低下した場合に、加湿機内部と室温との差により、加湿器内部の送風経路や電気部品収納部に発生する結露に対する対策としは、室温を検知する室温検知手段と、室内湿度を検知する湿度検知手段と、目標湿度を設定する湿度設定手段とを備え、湿度設定手段の設定湿度と湿度検知手段の検知湿度が所定値以下となる安定領域において、室温検知手段の検知温度が所定値以下の場合には、温風用ヒータの通電率を制限して送風機の送風量を多くし、室温検知手段の検知温度が所定値以上の場合には、温風ヒータの通電率を多くして送風機の送風量を制限する制御を実施することにより結露を防止している（例えば、特許文献１参照）。
【先行技術文献】
【特許文献】
【０００３】
【特許文献１】特開２００６−１１２７４７号公報
【発明の概要】
【発明が解決しようとする課題】
【０００４】
しかしながら、前記従来の構成では、結露対策が実施された場合には、使用者が意図しない送風量の変化や温風温度の変化が発生し、使用者が不快を感じたり、加湿器の異常と誤認することがある。また、結露対策のために室温検知手段と湿度検知手段を備えることが必須であり、コストアップと生産性の低下が懸念されるものであり、使い勝手と生産コストの面で改善の余地があった。
【０００５】
本発明は、前記従来の課題を解決するもので、シンプルな構成で結露対策を実施することにより使い勝手が良い加湿機を低コストで提供することを目的とするものである。
【課題を解決するための手段】
【０００６】
前記従来の課題を解決するために、本発明の加湿器は、本体の外面に開口された吸気口と吹出口とを連通する風路と、風路の途中に配置され空気を送風する送風機と、風路の送風機の下流に配置され空気を加熱するヒータと、風路のヒータの下流に配置されヒータで加熱された空気を加湿する加湿フィルタと、加湿フィルタに給水する加湿トレーと、風路の一部を形成し、加湿フィルタを加湿トレーの所定位置に固定するフィルタトレーと、加湿トレーに給水する水を貯水する給水タンクとを含み、ヒータと加湿フィルタとの間の風路に、風路と本体の内部とを連通する通気口を備えた、風路から通気口を介して本体の内部に低湿度の温風を供給するものである。
【０００７】
これにより、低湿度の温風を通気口を介して本体の内部に供給することがで、本体内部の湿度を低下させることができ、本体内の結露を簡単な構成で抑制することができる。また、本体内への温風の供給は常時行われるため、結露対策により他の機能の運転状態が変化することがなく、使用者が不快を感じたり、加湿機の異常を誤認することがなく、本体内に結露することがなく、本体外への漏水を防止することができ、使い勝手のよい加湿機を低コストで提供することができる。
【発明の効果】
【０００８】
本発明の加湿機は、結露水による本体外への漏水を防止することができる。
【図面の簡単な説明】
【０００９】
【図１】本発明の実施の形態１における加湿温風機の外観斜視図
【図２】図１にＡＡで示す断面図
【図３】図１にＢＢで示す断面図
【図４】本発明の実施の形態１における加湿温風機の給水タンクの着脱操作途中を示す背面側の斜視図
【図５】本発明の実施の形態１における加湿温風機の本体から給水タンクと加湿トレーを取り外した状態を示す斜視図
【図６】本発明の実施の形態１における給水タンクの斜視図
【図７】本発明の実施の形態１における給水タンクの倒立状態を示す斜視図
【図８】本発明の実施の形態１における加湿トレーとフィルタトレーと加湿フィルタの分解状態を示す斜視図
【図９】本発明の実施の形態１における加湿トレーの平面図
【図１０】本発明の実施の形態１における本体とフィルタトレーの当接状態の詳細を示す断面図
【発明を実施するための形態】
【００１０】
第１の発明は、本体の外面に開口された吸気口と吹出口とを連通する風路と、前記風路の途中に配置され空気を送風する送風機と、前記風路の前記送風機の下流に配置され空気を加熱するヒータと、前記風路の前記ヒータの下流に配置され前記ヒータで加熱された空気を加湿する加湿フィルタと、前記加湿フィルタに給水する加湿トレーと、前記風路の一部を形成し、前記加湿フィルタを前記加湿トレーの所定位置に固定するフィルタトレーと、前記加湿トレーに給水する水を貯水する給水タンクとを含み、前記ヒータと前記加湿フィルタとの間の前記風路に、前記風路と前記本体の内部とを連通する通気口を備え、前記風路から前記通気口を介して前記本体の内部に低湿度の温風を供給する、加湿機である。
【００１１】
これにより、低湿度の温風を通気口を介して本体の内部に供給することがで、本体内部の湿度を低下させることができ、本体内の結露を簡単な構成で抑制することができる。また、本体内への温風の供給は常時行われるため、結露対策により他の機能の運転状態が変化することがなく、使用者が不快を感じたり、加湿機の異常を誤認することがなく、本体内に結露することがなく使い勝手のよい加湿機を低コストで提供することができる。
【００１２】
第２の発明は、特に第１の発明において、前記通気口は前記フィルタトレーの側壁に配置されたものである。
【００１３】
これにより、通気口は湿度が一番高い加湿フィルタの近傍に配置することができるので、結露の抑制をより効果的に実施することができる。
【００１４】
第３の発明は、特に、第１または第２の発明において、前記本体は立面に開口を備え、
前記加湿フィルタと前記フィルタトレーと前記加湿トレーとは合体させた状態で前記開口を介して前記本体に着脱可能な構成としたものである。
【００１５】
これにより、加湿フィルタとフィルタトレーと加湿フィルタは本体より取り出して、清掃およびメンテナンスをすることが可能となり、加湿機の機能および性能を長期間にわたり安定して得ることができる。
【００１６】
第４の発明は、第１〜第３のいずれか１つの発明の加湿器と、前記風路の前記ヒータの下流で分岐し、前記加湿フィルタに連通させる加湿風路と、前記風路の前記ヒータの下流で分岐し、前記加湿フィルタを通過させずに前記吹出口に直接連通する温風風路と、前記加湿風路および前記温風風路のいずれか一方または両方に温風を選択的に送風するダンパと、前記ダンパの操作を行う操作手段とを備え、前記操作手段で前記ダンパの操作することにより、温風と加湿温風の吹き出しが選択可能な加湿温風機である。
【００１７】
これにより、温風のみの送風と加湿温風の選択が可能となり、短時間の暖房をする場合は温風を選択することにより短時間で昇温することが可能となり、長時間の暖房する場合は加湿温風を選択することにより快適な暖房効果を得ることができる。
【００１８】
以下、本発明の実施の形態について、図面を参照しながら説明する。なお、この実施の形態によって本発明が限定されるものではない。
【００１９】
（実施の形態１）
図１は本実施の形態における加湿機を備えた加湿温風機の外観を示す斜視図であり、図２は図１に示すＡＡ断面図を示し、図３は図１に示すＢＢ断面図を示し、図４は貯水タンクの着脱操作途中を示す斜視図であり、図５は本体から給水タンクと給水トレーを取り外した状態を示す斜視図である。
【００２０】
なお、本実施の形態においては、図１に示す加湿温風機の吹出口を設けた前面側を前とし、吸気口を設けた背面側を後とし、前面から背面に向かって右側を右とし、左側を左として説明をおこなう。また着脱可能な部材については本体に設置した状態での方向に従って説明を行う。
【００２１】
＜１＞加湿温風機の構成
図１〜図４に示すように、加湿温風機１００の本体１１０の上面には操作部１２０が、背面には吸気口１３０が、前面には吹出口１４０が設けられており、図２に示すように本体１１０内には吸気口１３０から吹出口１４０まで風路１５０が連通している。風路１５０には、吸気口１３０に近い最も上流側には送風機１６０が配置されており吸気口１３０から吸引した外気を風路１５０に送風する。
【００２２】
送風機１６０の下流にはヒータ１７０が配置されている。ヒータ１７０は全体で１２００Ｗの容量であるが、全体を２分割した構成であり、低容量の加熱を行うときは、その半分にのみに通電することで６００Ｗの容量で加熱することができる。
【００２３】
風路１５０は送風機１６０とヒータ１７０との間で２本に分岐しており、分岐した風路は静電霧化部１８０を介して吹出口１４０に連通する静電霧化風路１５１を形成している。送風機１６０から送風された少量（約５％）の風量は常時静電霧化風路１５１に供給される構成となっている。
【００２４】
また、風路１５０はヒータ１７０の下流で２本に分岐しており、一方は吹出口１４０に直接連通する温風風路１５２と、他方は加湿部１９０を介して吹出口１４０に連通する加
湿風路１５３が形成されている。
【００２５】
送風機１６０より下流側の風路１５０は、送風機１６０から静電霧化風路１５１および加湿風路１５３までの範囲と温風風路１５２は、燃性の耐熱樹脂材料により一体に成型されたダクト部材１５４で形成されている。ヒータ１７０はダクト部材１５４の内部に設置されている。
【００２６】
ダクト部材１５４の温風風路１５２と加湿風路１５３の分岐点にはダンパ２００が設置されている。ダンパ２００はステッピングモータ等で構成された駆動機構（図示せず）を備えており、ヒータ１７０で加熱された温風を、温風風路１５２のみ、または温風風路１５２と加湿風路１５３の両方に送風することを操作部１２０の操作で選択的に切り替えることができる。
【００２７】
図２に示すようにダンパ２００が位置Ｃの場合、温風は温風風路１５２と加湿風路１５３の両方に同時に送風される。この場合、風量の約１０％を温風風路１５２に送風し、残りを加湿風路１５３に送風する。
【００２８】
ダンパ２００が加湿風路１５３を閉じる位置Ｄに切り替えられた場合は、温風風路１５２にのみ温風が送風される。
【００２９】
操作部１２０には、加湿温風機１００の電源の「入」、「切」を行う電源スイッチ１２１と、温風運転を連続的に行う温風連続スイッチ１２２と、設定温度に合わせて温風運転を行う温風室温連動スイッチ１２３と、加湿運転を行う加湿スイッチ１２４と、静電霧化運転を行う静電霧化スイッチ１２５と、入タイマを設定する入タイマスイッチ１２６と、切タイマを設定する切タイマスイッチ１２７と、子供のいたずら等の誤操作をロックするロックスイッチ１２８と、加湿部１９０のメンテナンス後に操作するリセットスイッチ１２９が設けられている。
【００３０】
また、操作部１２０には上記の各種スイッチの操作状態を表示する複数の表示ランプが設置されている。
【００３１】
なお、本実施の形態における加湿温風機１００は、加湿風路１５３とは別に温風風路１５２を設けるとともに、風路を切り替えるダンパ２００と切り替え操作を行う操作スイッチとを設け、「温風」と「加湿温風」とが選択できる構成としたが、これに限るものではなく、例えば、風路は加湿風路１５３のみとし、ダンパ２００および切り替え操作を行う操作スイッチを設けない構成とし、送風機１６０による送風が全て加湿部１９０に供給されるものを加湿機と定義する。なお、ヒータ１７０は加湿機の必須の構成要素ではないが、加湿性能を向上するためにヒータ１７０を備えた構成であってもよい。また、静電霧化部１８０も加湿機の必須の構成要素ではない。
【００３２】
＜２＞静電霧化部の構成
図２に示すように、静電霧化部１８０は、送風機１６０とヒータ１７０との間の風路１５０から分岐した静電霧化風路１５１内に静電霧化ユニット１８１が設置されている。
【００３３】
静電霧化ユニット１８１は、送風機１６０で送風された空気中の水分を結露させて水を生成する結露水生成部と、生成された水に電圧を印加する霧化電極と、霧化電極に対向して設けられた対向電極とで構成されている。
【００３４】
結露水生成部は、冷却基板と放熱基板とを有するペルチェ素子を主構成部材とし、ペルチェ素子の冷却基板には尖鋭形状の霧化電極が設置されており、ペルチェ素子の冷却基板
に結露した水が霧化電極に搬送される構成となっている。
【００３５】
尖鋭形状の霧化電極と対向する位置に、霧化電極を包囲するように略ドーム状の対向電極が配置されており、霧化電極と対向電極の間に約３５００Ｖの直流電流が印加することにより、霧化電極に搬送された結露水にレイリー分裂を生じさせ、ナノメートルサイズの帯電微粒子水が発生する。
【００３６】
すなわち、静電霧化ユニット１８１を通過後の空気は、ナノメートルサイズの帯電微粒子水が含まれたものであり、霧化吹出口１８２を介して吹出口１４０から帯電微粒子水が放出される。ナノメータサイズの帯電微粒子水は、アンモニア、アセトアルデヒド、酢酸、メタン、一酸化炭素、一酸化窒素、ホルムアルデヒド等の臭気成分の分解除去と各種菌類への殺菌効果を備えており、室内に浮遊および壁面や床面に付着した臭気成分や菌類に対して脱臭と除菌および殺菌の効果を発揮することができる。
【００３７】
＜３＞加湿部の構成
図６は給水タンクの正立状態の斜視図を示し、図７は給水タンクの倒立状態の斜視図を示し、図８は加湿レートとフィルタトレーと加湿フィルタの分解状態を示す斜視図であり、    図９は加湿レートの平面図を示すものであり、図１０は本体とフィルタトレーの当接状態の詳細を示す断面図である。なお、図８および図９は加湿トレーを後ろ側から見た状態を示したものである。
【００３８】
図２および図３に示すように、加湿部１９０は、加湿に使用する水を貯水する給水タンク２１０と、給水タンク２１０から流出した水を貯溜する加湿トレー２２０と、水を気化させる加湿フィルタ２３０と、加湿フィルタ２３０を加湿トレー２２０に取り付けるフィルタトレー２５０を主構成部材として構成されている。
【００３９】
図３、図６、図７に示すように、給水タンク２１０は、半透明の樹脂材料で成型された容量約３リットルのボトル形状のタンク本体２１１と、タンク本体２１１の下面に設けた給水口２１１ａに着脱自在に螺合する蓋２１２と、タンク本体２１１の上面に設けられた略コの字型の取っ手２１３と、タンク本体２１１の側部に設置されタンク開口１１１を閉塞する閉塞部材２１４で構成されている。
【００４０】
蓋２１２には、ばねの付勢力により自動的に閉止される閉止栓２１２ａが設けられており、給水タンク２１０が加湿トレー２２０の所定位置にセットされた場合に閉止栓２１２ａが自動的に開放され、給水タンク２１０の水が加湿トレー２２０に供給される。
【００４１】
取っ手２１３は略コの字型の形状をしており両端部がタンク本体２１１の上部に起倒自在に枢支されている。図２に示すように取っ手２１３はタンク本体２１１の上面に倒置した状態で本体１１０内のタンク収容部１１１ａに収容される。また、給水タンク２１０を本体１１０から取り出した状態では、取っ手２１３を起立させることにより保持部２１３ａを握って給水タンク２１０を容易に持ち運びすることができる。
【００４２】
図７に示すように、取っ手２１３を起立させて最も開放した起立位置で係止されるストッパ２１１ｂがタンク本体２１１に一体に形成されており、取っ手２１３をストッパ２１１ｂに係止した状態で給水タンク２１０を倒立させると、閉塞部材２１４の上縁２１４ａと取っ手２１３が給水タンク２１０の脚となり、給水口２１１ａを上方に配置した状態で平坦面に自立させることができ、この状態で給水作業を容易に行うことができる。
【００４３】
特に本実施に形態における取っ手２１３には起立位置に起立させた状態で保持部２１３ａの一方の端部が他の部分より突出する突起部２１３ｂが形成される構成となっており、
給水タンク２１０は閉塞部材２１４の上縁２１４ａと突起部２１３ｂの３点支持の形態で支持されるため安定性がよい。なお、突起部２１３ｂは必須の構成要素ではなく、突起部２１３ｂがなくても給水タンク２１０を倒立させることは可能である。
【００４４】
閉塞部材２１４はタンク本体２１１の側部に設置されており、給水タンク２１０を本体１１０に設置した状態で、タンク開口１１１の全面を閉塞し、外表面は本体１１０の外表面と連続的な形状を成すように形成されており、タンク本体２１１にねじで固定されている。
【００４５】
閉塞部材２１４の上端部には閉塞部材２１４を本体１１０に係止する係止部２１４ｂが設置されている。係止部２１４ｂは弾性により本体１１０に係止され、開放する場合は閉塞部材２１４の上部に設けられたロック解除ボタン２１４ｃを押すことにより開放される。
【００４６】
また、閉塞部材２１４の上部には表面より凹陥した引き手２１４ｄが形成されており、引き手２１４ｄに指をかけて引き出すことにより給水タンク２１０を本体１１０より取り外すことができる。
【００４７】
図８および図９に示すように、加湿トレー２２０は給水タンク２１０から水を受ける水受部２２１と、加湿フィルタ２３０に供給する水を貯水する貯水部２２２と、貯水部の水位を検知する水位検知部の構成部材であるフロート槽２４０で構成されている。本実施の形態においては、加湿トレー２２０の右側に水受部２２１と、中央部に貯水部２２２と左側にフロート槽２４０が配置されている。
【００４８】
水受部２２１は略円形の凹陥形状であり、その中央には円柱状の突出部２２３が形成されており、給水タンク２１０の閉止栓２１２ａが突出部２２３に当接することにより、閉止栓２１２ａが開放される構成となっている。
【００４９】
貯水部２２２は略長方形の箱状に形成されており、貯水部２２２の内部には貯水部２２２と略相似形のフィルタトレー２５０が所定位置に設置されている。
【００５０】
フィルタトレー２５０は底面と４辺の側壁２５２からなる略長方形の箱状の形状をしており、加湿トレー２２０より耐熱性の高い樹脂材料で成型されており、加湿部１９０に送風される温風で加湿トレー２２０が変形することを防止する目的と、加湿フィルタ２３０を加湿トレー２２０に固定する機能を備えている。
【００５１】
フィルタトレー２５０は底面には複数の開口（図示せず）が設けられており、貯水部２２２に貯水された水が開口を介して流入する構成となっている。フィルタトレー２５０の内面には加湿フィルタ２３０を所定位置に支持する複数のフィルタリブ２５１が一体に形成されている。
【００５２】
また、側壁２５２の上端部には略Ｕ字形状の通気口２５３が設けられている。通気口２５３は加湿フィルタ２３０の設置位置より上流側に配置されており、幅が約４ｍｍで高さが約６ｍｍの寸法となっている。
【００５３】
図２および図１０示すように、フィルタトレー２５０は加湿風路１５３の一部を構成したおり、４辺の側壁２５２の上端部はダクト部材１５４の下端に当接し、本体１１０の加湿風路１５３と連接する構成となっている。通気口２５３は加湿フィルタ２３０の上流側の加湿風路１５３から乾燥した空気の一部を本体１１０の内部に放出する機能を備えている。
【００５４】
フィルタトレー２５０の前方の側壁２５２とダクト部材１５４との当接部はダクト部材１５４の下端に設置されたパッキン１１３を介して密着する構成となっており、後方の側壁２５２とダクト部材１５４との当接部は双方に形成した傾斜面がパッキン１１３を介して面接触させることにより密接する構成となっている。また、両側部の側壁２５２とダクト部材１５４との当接部にはフィルタトレー２５０を摺動可能にするために僅かな隙間が設けられている。
【００５５】
水受部２２１と貯水部２２２とフロート槽２４０は連通溝で連通しており、水受部２２１で給水タンク２１０より給水された水は連通溝を介して貯水部２２２とフロート槽２４０に供給されて一定の水位で維持される。
【００５６】
フロート槽２４０には水位の変動により浮動するフロート２７０が設置されており、フロート２７０に内蔵された磁石（図示せず）と本体１１０に設置されたリードスイッチ（図示せず）で推移検知部を構成しており、水位検知部の検知結果に基づいて加湿温風機１００の運転が制御される。
【００５７】
また、加湿トレー２２０の後方上部には、加湿トレー２２０を本体１１０にロックするロック機構２２４が設置されており、背面下部には加湿トレー２２０を本体１１０から引き出すときに使用する引き手２２５が一体に形成されている。
【００５８】
加湿フィルタ２３０は樹脂材料で成型した略直方体のフィルタケース２３１と、フィルタケース２３１に内装されたフィルタ材２３２で構成されている。フィルタケース２３１は網目状に形成されており、その内外が通風可能な構成となっている。フィルタ材２３２は樹脂繊維の不織布を蛇行形状に折り曲げて形成した吸水性能および耐熱性の優れたものである。
【００５９】
図５に示すように、加湿トレー２２０は本体１１０背面の下部に設けられたトレー開口１１２よりトレー収容部１１２ａに収容および取り出しを行うことができる。また、本実施の形態におけるタンク開口１１１とトレー開口１１２は中間部に仕切り等を配設せず連続して一体的に形成された開口となっており、同様にタンク収容部１１１ａとトレー収容部１１２ａも連続した一体空間となっている。
【００６０】
＜４＞加湿温風機の動作、作用
加湿温風機１００を使用する場合、準備作業として第１に給水タンク２１０への水の充填作業を行う。水の充填作業を行うときは、給水タンク２１０を倒立させて取っ手２１３を起立位置まで回動させてストッパ２１１ｂで固定することにより自立させることができる。
【００６１】
この状態で蓋２１２をタンク本体２１１から取り外し給水口２１１ａからタンク本体２１１内に水を充填する。充填終了後蓋２１２を閉めることにより充填作業は終了する。
【００６２】
次に、加湿フィルタ２３０とフィルタトレー２５０を加湿トレー２２０の貯水部２２２にセットし、本体１１０背面のトレー開口１１２からトレー収容部１１２ａ押し込む。加湿トレー２２０が所定位置まで押し込まれたら、ロック機構２２４により本体１１０に固定される。
【００６３】
次に水を充填した給水タンク２１０を取っ手２１３が上になる起立状態で保持し、タンク開口１１１からタンク収容部１１１ａに蓋２１２を加湿トレー２２０の水受部２２１に挿入しながら、上部をタンク開口１１１に押し付けることにより、閉塞部材２１４の係止
部２１４ｂが本体１１０に係止して給水タンク２１０は本体１１０に固定される。
【００６４】
上記の準備作業完了状態において、給水タンク２１０の水は加湿トレー２２０の水受部２２１に流出して貯水部２２２およびフロート槽２４０に流入し、所定の水位に達したら停止する。この状態で加湿フィルタ２３０の下側の約１／３は水没した状態になり、毛細管現象によりフィルタ材２３２全体が吸水状態となる。
【００６５】
貯水部２２２が所定の水位に達して給水が停止した状態において、フロート２７０はフロート槽２４０の規制片２４１に当接する位置に浮き上がっており、リードスイッチ（図示せず）はＯＮの状態となっており、操作部１２０の電源スイッチ１２１の操作が可能な状態となる。
【００６６】
加湿温風機１００の運転を開始する場合、まず操作部１２０の電源スイッチ１２１を「入」にし、次に好みの運転モードを選択する。運転モードとしては、「温風」、「加湿」、「静電霧化」３つの基本的な運転モードがあるが、これに加え「温風」と「加湿」を同時に行う「加湿温風」の運転モードがある。また、「静電霧化」の運転モードは単独の運転モードに加え、他の「温風」、「加湿」、「加湿温風」の運転モードとの同時運転が可能な構成となっている。
【００６７】
温風モードの運転を行う場合は、温風連続スイッチ１２２か温風室温連動スイッチ１２３のどちらかを選択操作する。温風連続スイッチ１２２を選択した場合には、加湿温風機１００はヒータ１７０が「強」または「弱」の容量で室温に関係なく温風を吹き出す。また、温風室温連動スイッチ１２３を選択した場合、室温に連動してヒータ１７０の容量を切り換えて室温を所定温度に保つように運転する。
【００６８】
温風モードの運転を行う場合は、ダンパ２００は加湿風路１５３を閉じる位置Ｄに配置され、温風は温風風路１５２のみに供給され吹出口１４０から直接吹き出す。この場合、吹き出す温風は高温で乾燥した状態のものであり、このモードは短時間の部屋の暖房や、乾燥を目的とした使用に適している。
【００６９】
加湿モードの運転を行う場合は加湿スイッチ１２４を操作する。加湿モードの運転の場合、ヒータ１７０の容量は低容量（約６００）に設定される。ダンパ２００は温風を主に加湿風路１５３に送風する位置Ｃに配置され、低温の温風は温風風路１５２と加湿風路１５３の両方に送風され、温風風路１５２を通過した乾燥状態の温風と、加湿風路１５３を通過し加湿部１９０で加湿された加湿空気が吹出口１４０の手前で混合され、吹出口１４０から吹き出す。
【００７０】
このモードの場合、温風の一部を温風風路１５２から直接吹き出させることにより、流速の早い温風が吹出口１４０の手前で混合する加湿空気を効率的に吸引して吹き出す効果を得ることができる。
【００７１】
温風モードの運転と加湿モードの運転を同時に行う加湿温風モードの運転を行う場合を、上記のように温風連続スイッチ１２２か温風室温連動スイッチ１２３のどちらかと加湿スイッチを操作する。
【００７２】
加湿温風モードの運転の場合、ダンパ２００の位置および送風状態は加湿運転の場合と同じであるが、ヒータ１７０の容量が１２００Ｗの最大容量で運転される。そのため、適度に加湿された温風が吹き出し、長時間に亘り部屋を快適に暖房する場合に最も適したモードである。
【００７３】
加湿モードおよび加湿温風モードの運転を行う場合に、フィルタトレー２５０の側壁２５２の両側部と本体１１０との当接部が部品のバラツキや変形により隙間が大きい場合には高湿度の空気が漏れることがある。
【００７４】
加湿フィルタ２３０の上流側から漏れる低湿度の空気は周囲に悪影響を及ぼすことはないが、加湿フィルタ２３０の下流側から漏れる高湿度の温風が漏れた場合、周囲の本体内部に結露して結露水が本体より流出し、床面を濡らす等の不都合が発生することがある。
【００７５】
本実施の形態における加湿温風機１００の構成においては、加湿フィルタ２３０より上流側となるフィルタトレー２５０の側壁２５２の上端部に設けた通気口２５３より低湿度の空気を加湿トレー２２０のフロート槽２４０に放出し、主に本体１１０内のトレー収容部１１２ａに拡散させる。
【００７６】
低湿度の空気を通気口２５３より常時放出することにより、加湿フィルタ２３０の下流側から高湿度の空気が本体１１０内に漏れた場合でも相互に混ざり合って湿度を低下させることにより結露を防止することができる。
【００７７】
発明者の実験によれば、加湿フィルタ２３０より下流側の高湿度の空気は相対湿度が約８０％であるのに対し、漏れた高湿度の空気と通気口２５３を介して放出した低湿度の空気とが混ざり合うことにより約３５％に低下させることができ、通常の使用状態では結露が発生することがなかった。
【００７８】
静電霧化モードの運転を行う場合は静電霧化スイッチ１２５を操作する。静電霧化スイッチ１２５を操作することにより、静電霧化ユニット１８１に通電され、静電霧化ユニット１８１は送風機１６０から送風された空気に含まれる水分からナノメートルサイズの帯電微粒子を発生し、帯電微粒子を含む空気を霧化吹出口１８２を介して吹出口１４０から吹き出す。
【００７９】
静電霧化モードの運転は、単独運転で実施することに加え、温風運転、加湿運転、加湿温風運転の各運転モードと同時に運転することが可能であり、いずれ運転モードにおいても室内に浮遊および壁面や床面に付着した臭気成分や菌類に対して脱臭と除菌および殺菌の効果を発揮することができる。
【００８０】
運転を停止する場合は、電源スイッチ１２１を「切」操作することにより、加湿温風機１００の運転が停止する。
【００８１】
運転停止の状態で、給水タンク２１０の水の補充や加湿フィルタ２３０のメンテナンス等を実施することができる。給水タンク２１０を本体１１０から取り外す場合は、閉塞部材２１４の上部に設置されたロック解除ボタン２１４ｃを押しながら引き手２１４ｄに指を掛けて引けば上部を手前に引き出すことができ、取っ手２１３を回動させて保持部２１３ａを保持して上方に引き出せば本体１１０より取り外すことができる。
【００８２】
加湿トレー２２０を本体１１０から取り外すときは、加湿トレー２２０の背面の引き手２２５に指を掛けて強く引っ張ることにより本体１１０から引き出すことができる。
【００８３】
加湿フィルタ２３０メンテナンスを行う場合は、加湿フィルタ２３０とフィルタトレー２５０を加湿トレー２２０から取り外して水洗いをすることによりフィルタ材の中に堆積したスケールやごみを取り除ことができる。
【００８４】
以上のように、本実施に形態の加湿温風機１００は、加湿トレー２２０と給水タンク２
１０は本体１１０の背面に設けられた開口部より着脱可能な構成としたことにより、給水タンク２１０の着脱作業には給水タンク２１０を高い位置まで持ち上げる必要がなく、本体１１０の低い位置のタンク開口１１１から着脱可能となり安全かつ容易に着脱作業を行うことができる。
【００８５】
特に、給水タンク２１０はタンク本体２１１と閉塞部材２１４を一体構造として形成し、ワンタッチで着脱可能としたことにより、着脱作業を容易に行うことができるとともに、タンク本体２１１を閉塞部材で隠蔽することにより加湿温風機の外観のデザイン性を向上することができる。
【００８６】
また、給水タンク２１０を倒立した状態で自立可能な構成としたことにより、給水タンク２１０への給水作業を容易に行うことができる。
【００８７】
また、タンク開口１１１とトレー開口１１２を本体１１０の背面に設けたことにより、本体１１０の前面と上面および側面に発生する接合部を少なくすることができ、特に本体１１０上面には広いスペースの操作部１２０を設置することが可能となり、デザイン性が高くかつ操作性の高い使い勝手のより加湿温風機を提供することができる。
【００８８】
また、加湿フィルタ２３０の上流側の加湿風路であるフィルタトレー２５０の側壁２５２に通気口２５３を設けたことにより、加湿フィルタ２３０の下流側より高湿度の空気が漏れた場合でも、漏れた高湿度の空気と通気口２５３を介して放出した低湿度の空気とが混ざり合うことにより湿度を低下させることができ、通常の使用状態では本体１１０の内部に結露が発生することを抑制することができる。
【００８９】
なお、本実施の形態においては、加湿トレー２２０の右側に水受部２２１と、中央部に貯水部２２２と左側にフロート槽２４０が配置された構成としたが、特に水受け部とフロート槽の配置はこれに限るものではなく、左右反対または本体の形状によっては前後に配置してもよい。
【産業上の利用可能性】
【００９０】
以上のように、本発明にかかる加湿機は、本体内への結露を防止することが可能となるので、加湿空気を使用する他の民生用機器等の用途にも適用できる。
【符号の説明】
【００９１】
１００  加湿温風機
１１０  本体
１１２  トレー開口（開口部）
１２０  操作部（操作手段）
１３０  吸気口
１４０  吹出口
１５０  風路
１５２  温風風路
１５３  加湿風路
１６０  送風機
１７０  ヒータ
２００  ダンパ
２１０  給水タンク
２２０  加湿トレー
２３０  加湿フィルタ
２５０  フィルタトレー
２５２  側壁
２５３  通気口
【図１】
0005716166.tif 000002
【図２】
0005716166.tif 000003
【図３】
0005716166.tif 000004
【図４】
0005716166.tif 000005
【図５】
0005716166.tif 000006
【図６】
0005716166.tif 000007
【図７】
0005716166.tif 000008
【図８】
0005716166.tif 000009
【図９】
0005716166.tif 000010
【図１０】
0005716166.tif 000011